(57)【要約】【課題】印刷機及びその制御方法において、ゴムローラの変形を抑制して耐久性を向上することで長寿命化を可能とする。【解決手段】インキをその供給源としてのインキつぼ２２，４２から版胴３５，５５まで供給するインキ供給経路や湿し水をその供給源としてのスプレーダンプナー８１，９１から版胴３５，５５まで供給する湿し水供給経路上に、ゴムローラと金属ローラを対接状態で回転自在に支持し、このゴムローラと金属ローラとの対接状態を変更可能なニップ圧自動調整装置３７，３８，５７，５８，８２，９２と、非印刷時にニップ圧自動調整装置３７，３８，５７，５８，８２，９２によりゴムローラと金属ローラとを離間させる制御装置６１を設ける。【選択図】      図１
2009233981.tif 000002
【特許請求の範囲】
【請求項１】
ゴムローラと金属ローラが対接状態で回転自在に支持される印刷機において、
前記ゴムローラと前記金属ローラとの対接状態を変更可能なローラ移動手段と、
非印刷時に前記ローラ移動手段により前記ゴムローラと前記金属ローラとを離間させる制御手段と、
を設けることを特徴とする印刷機。
【請求項２】
前記制御手段は、印刷終了後、前記ローラ移動手段により前記ゴムローラと前記金属ローラとを離間させることを特徴とする請求項１に記載の印刷機。
【請求項３】
前記制御手段は、不使用時に前記ローラ移動手段により前記ゴムローラと前記金属ローラとを離間させることを特徴とする請求項１に記載の印刷機。
【請求項４】
前記ローラ移動手段は、対接するローラ間のニップ圧を自動調整するニップ圧自動調整装置であることを特徴とする請求項１から３のいずれか一つに記載の印刷機。
【請求項５】
インキを供給するインキ供給装置と、
該インキ供給装置により供給されたインキを受け渡す受渡ローラと、
該受渡ローラから受け渡されたインキを練る練ローラと、
該練ローラにより練られたインキを幅方向に広げる往復ローラと、
該往復ローラのインキから受け渡されるインキを供給するインキ着ローラと、
該インキ着ローラのインキが画線部に受け渡される版胴と、
該版胴に受け渡されたインキをシートに転写するブランケット胴と、
が直列に対接して回転自在に支持され、
前記練ローラと前記インキ着ローラを前記ゴムローラとして構成する一方、
前記受渡ローラと前記往復ローラと前記版胴を前記金属ローラとして構成し、
前記制御手段は、非印刷時に前記ローラ移動手段により前記練ローラ及び前記インキ着ローラを隣接する前記ローラから離脱させることを特徴とする請求項１から４のいずれか一つに記載の印刷機。
【請求項６】
インキをその供給源から版胴まで供給するインキ供給経路上に、ゴムローラと金属ローラが対接状態で回転自在に支持される印刷機において、
非印刷時に前記ゴムローラと前記金属ローラとを離間させる、
ことを特徴とする印刷機の制御方法。
【請求項７】
非印刷時に前記ゴムローラを移動することで、前記金属ローラから離間させることを特徴とする請求項６に記載の印刷機の制御方法。
【発明の詳細な説明】
【技術分野】
【０００１】
本発明は、一部のローラが隣接するローラとの対接状態を変更可能な印刷機、並びに、この印刷機の制御方法に関するものである。
【背景技術】
【０００２】
例えば、新聞用オフセット輪転印刷機は、複数の給紙装置と、複数の印刷ユニットと、ターンバー装置と、折機とから構成されており、各給紙装置から印刷ユニットにウェブが供給されると、各ウェブに対して印刷が施され、ターンバー装置で複数のウェブの走行ルートが変更されてから所定の順番に重ね合わされた後、折機にて、ウェブが縦折りされてから所定の長さで横裁断され、横折されることで折帖が形成され、排紙される。
【０００３】
そして、このような新聞用オフセット輪転印刷機における印刷ユニットは、垂直に搬送されるウェブの左右両側に、ブランケット胴及び版胴に加えて、この版胴にインキを供給するための多数のローラからなるローラ群がそれぞれ配列されている。即ち、インキつぼ、インキ元ローラ、受渡ローラ、練ローラ、往復ローラ、インキ着ローラが直列に対接状態で配列されている。また、湿し水を供給するためのローラ群もそれぞれ配列されており、湿し水供給装置、往復ローラ、練りローラ、水着ローラが直列に対接状態で配列されている。版胴には、表面に版が装着されており、インキ着ローラ及び水着ローラがこの版胴に対接し、版胴がブランケット胴に対接している。
【０００４】
従って、インキ元ローラを回転すると、このインキ元ローラにより供給量が調整されたインキが、インキつぼから受渡ローラに供給され、練ローラにより練られ、往復ローラにより軸方向に広げられてからインキ着ローラに渡される。同時に湿し水供給装置により供給量が調整された湿し水が、往復ローラにより軸方向に広げられ、練ローラにより練られてから水着ローラに渡される。そして、このインキ着ローラ及び水着ローラから薄膜に形成されたインキ及び湿し水が版胴の版面に供給され、版面に付着したインキがブランケット胴に転写され、対向するブランケット胴との間にウェブが挟持されることで、このウェブに所定の印圧が掛けられ、各ブランケット胴のインキが絵柄としてウェブの両面に転写される。
【０００５】
上述したように、インキは、インキつぼからインキ元ローラ、受渡ローラ、練ローラ、往復ローラ、インキ着ローラ、版胴、ブランケット胴に受け渡され、このブランケット胴からウェブに転写される。同時に湿し水も湿し水供給装置から、往復ローラ、練りローラ、水着ローラ、版胴、ブランケット胴に受け渡される。この場合、インキまたは湿し水がローラ間で受け渡されるとき、一般的に、ローラの表面に形成されたインキまたは湿し水の約半分が対接するローラに受け渡されることが好ましい。そのため、対接するローラ間のニップ圧を適正に調整する必要がある。即ち、インキ及び湿し水の供給量を調整して印刷の品質を向上させるために、隣り合うローラ間のニップ圧を適正化する必要があり、印刷機には、ニップ圧を調整するニップ圧調整機構が設けられている。
【０００６】
従来のニップ圧調整機構としては、下記特許文献１に記載されたものがある。この特許文献１に記載されたニップ圧調整機構は、エアを給排して圧力ホースを膨張または収縮することで、ローラ支持体を介してローラを径方向に移動し、対接するローラとのニップ圧を調整するものである。
【０００７】
【特許文献１】特許第３８５３７３９号公報
【発明の開示】
【発明が解決しようとする課題】
【０００８】
上述したように、従来のニップ圧調整機構では、ローラ間のニップ圧を適正値に維持するように、ゴムローラ（練ローラ、インキ着ローラ、水着ローラ）を、金属ローラ（受渡ローラ、往復ローラ、版胴）に押圧している。そのため、印刷終了後や版交換時など、各ローラが回転していないときも、ゴムローラが金属ローラに押圧されることとなる。この場合、ゴムローラは、その一部が金属ローラに押圧しているため、この押圧部が変形した状態で所定時間放置される。すると、ゴムローラが劣化しやすくなり、再び、印刷を開始するときに、各ローラが回転すると、ゴムローラが適正に金属ローラに押圧できず、適正なニップ圧を確保できないおそれがある。
【０００９】
本発明は上述した課題を解決するものであり、ゴムローラの変形を抑制して耐久性を向上することで長寿命化を可能とする印刷機及びその制御方法を提供することを目的とする。
【課題を解決するための手段】
【００１０】
上記の目的を達成するための請求項１の発明の印刷機は、ゴムローラと金属ローラが対接状態で回転自在に支持される印刷機において、前記ゴムローラと前記金属ローラとの対接状態を変更可能なローラ移動手段と、非印刷時に前記ローラ移動手段により前記ゴムローラと前記金属ローラとを離間させる制御手段と、を設けることを特徴とするものである。
【００１１】
請求項２の発明の印刷機では、前記制御手段は、印刷終了後、前記ローラ移動手段により前記ゴムローラと前記金属ローラとを離間させることを特徴としている。
【００１２】
請求項３の発明の印刷機では、前記制御手段は、不使用時に前記ローラ移動手段により前記ゴムローラと前記金属ローラとを離間させることを特徴としている。
【００１３】
請求項４の発明の印刷機では、前記ローラ移動手段は、対接するローラ間のニップ圧を自動調整するニップ圧自動調整装置であることを特徴としている。
【００１４】
請求項５の発明の印刷機では、インキを供給するインキ供給装置と、該インキ供給装置により供給されたインキを受け渡す受渡ローラと、該受渡ローラから受け渡されたインキを練る練ローラと、該練ローラにより練られたインキを幅方向に広げる往復ローラと、該往復ローラのインキから受け渡されるインキを供給するインキ着ローラと、該インキ着ローラのインキが画線部に受け渡される版胴と、該版胴に受け渡されたインキをシートに転写するブランケット胴と、が直列に対接して回転自在に支持され、前記練ローラと前記インキ着ローラを前記ゴムローラとして構成する一方、前記受渡ローラと前記往復ローラと前記版胴を前記金属ローラとして構成し、前記制御手段は、非印刷時に前記ローラ移動手段により前記練ローラ及び前記インキ着ローラを隣接する前記ローラから離脱させることを特徴としている。
【００１５】
また、請求項６の発明の印刷機の制御方法は、インキをその供給源から版胴まで供給するインキ供給経路上に、ゴムローラと金属ローラが対接状態で回転自在に支持される印刷機において、非印刷時に前記ゴムローラと前記金属ローラとを離間させる、ことを特徴とするものである。
【００１６】
請求項７の印刷機の制御方法では、非印刷時に前記ゴムローラを移動することで、前記金属ローラから離間させることを特徴としている。
【発明の効果】
【００１７】
請求項１の発明の印刷機によれば、ゴムローラと金属ローラを対接状態で回転自在に支持し、ゴムローラと金属ローラとの対接状態を変更可能なローラ移動手段と、非印刷時にローラ移動手段によりゴムローラと金属ローラとを離間させる制御手段とを設けている。従って、印刷が行われていないとき、ゴムローラと金属ローラは離間しており、ゴムローラの局部的な変形がなくなり、このゴムローラの変形を抑制して耐久性を向上することで長寿命化を可能とすることができる。
【００１８】
請求項２の発明の印刷機によれば、制御手段は、印刷終了後にローラ移動手段によりゴムローラと金属ローラとを離間させるので、ゴムローラと金属ローラとを最適なタイミングで離間させることができる。
【００１９】
請求項３の発明の印刷機によれば、制御手段は、不使用時にローラ移動手段によりゴムローラと金属ローラとを離間させるので、複数の印刷ユニットのうち使用していないユニットにて、ゴムローラと金属ローラとを離間させることで、印刷に必要とないゴムローラの早期劣化を抑制することができる。
【００２０】
請求項４の発明の印刷機によれば、ローラ移動手段として、対接するローラ間のニップ圧を自動調整するニップ圧自動調整装置を設けるので、ニップ圧自動調整装置を用いてローラの離脱を行うこととなり、別途ローラ移動手段を設ける必要がなく、装置の大型化や高コスト化を抑制することができる。
【００２１】
請求項５の発明の印刷機によれば、インキ供給装置と受渡ローラと練ローラと往復ローラとインキ着ローラと版胴とブランケット胴を直列に対接して回転自在に支持し、練ローラとインキ着ローラをゴムローラとして構成する一方、受渡ローラと往復ローラと版胴を金属ローラとして構成し、制御手段は、非印刷時にローラ移動手段により練ローラ及びインキ着ローラを隣接するローラから離脱させるので、印刷が行われていないとき、練ローラとインキ着ローラは、他のローラと離間しており、この練ローラとインキ着ローラの局部的な変形を防止することができる。
【００２２】
また、請求項６の発明の印刷機の制御方法によれば、インキをその供給源から版胴まで供給するインキ供給経路上に、ゴムローラと金属ローラを対接状態で回転自在に支持し、非印刷時にゴムローラと金属ローラとを離間させるようにしている。従って、印刷が行われていないとき、ゴムローラと金属ローラは離間しており、ゴムローラの局部的な変形がなくなり、このゴムローラの変形を抑制して耐久性を向上することで長寿命化を可能とすることができる。
【００２３】
請求項７の印刷機の制御方法によれば、非印刷時にゴムローラを移動することで金属ローラから離間させるので、ゴムローラのみを移動させることで、金属ローラの支持構造を簡素化することができる。
【発明を実施するための最良の形態】
【００２４】
以下に添付図面を参照して、本発明に係る印刷機及びその制御方法の好適な実施例を詳細に説明する。なお、この実施例により本発明が限定されるものではない。
【実施例】
【００２５】
図１は、本発明の一実施例に係る新聞用オフセット輪転印刷機における印刷ユニットの概略構成図、図２は、ニップ圧自動調整装置の断面図、図３は、図２のIII−III断面図、図４は、印刷時における練ローラと往復ローラとの対接状態を表す概略図、図５は、非印刷時における練ローラと往復ローラとの離間状態を表す概略図、図６は、本実施例の新聞用オフセット輪転印刷機を表す概略図である。
【００２６】
本実施例において、図６に示すように、オフセット輪転印刷機として適用された新聞用オフセット輪転印刷機は、給紙装置１１と、印刷装置１２と、ターンバー装置１３と、折機１４とから構成されている。そして、給紙装置１１には、それぞれウェブ（シート）Ｗがロール状に巻かれた３つの巻取紙Ｒを保持する複数の保持アーム１５が設けられ、この各保持アーム１５を回動することで、巻取紙Ｒを給紙位置に回動することができる。また、この給紙装置１１には、図示しない紙継装置が設けられており、給紙位置で繰り出されている巻取紙Ｒが残り少なくなると、この紙継装置により給紙位置にある巻取紙Ｒに対して、待機位置にある巻取紙Ｒを紙継することができる。
【００２７】
また、印刷装置１２には、両面４色印刷を行う多色刷印刷ユニット１６と、両面２色印刷を行う２色刷印刷ユニットと１７とが設けられている。この多色刷印刷ユニット１６及び２色刷印刷ユニット１７は、給紙装置１１から供給されたウェブＷに対して所定の印刷を行うことができる。なお、本実施例では、印刷装置１２を、多色刷印刷ユニット１６と２色刷印刷ユニット１７により構成したが、この構成に限定されるものではない。例えば、両面単色印刷を行う両面単色刷ユニット、一面４色または２色印刷を行う多色刷印刷ユニットなど印刷物に応じて適宜各種ユニットを組み合わせて使用すればよい。
【００２８】
また、ターンバー装置１３には、図示しない複数のターンバーが設けられており、各印刷ユニット１６，１７から送り出された各ウェブＷの走行ルートを変更し、所定の順番に重ね合わせることができる。折機１４は、ターンバー装置１３から搬送されたウェブＷを縦折りし、所定の長さで横裁断し、更に横折りして所望の折帖を形成した後に排紙するものである。
【００２９】
従って、まず、給紙装置１１から印刷装置１２を構成する多色刷印刷ユニット１６や２色刷印刷ユニット１７にウェブＷが供給されると、各印刷ユニット１６，１７では、各ウェブＷに対して４色刷や２色刷が行われる。次に、各印刷ユニット１６，１７で印刷が施された複数のウェブＷは、ターンバー装置１３にて、走行ルートが変更されると共に、所定の順番に重ね合わせられる。そして、複数重ね合わされたウェブＷは、折機１４に搬送され、ここで縦折りされた後、横裁断され、更に横折りされて所望の折帖が形成され、羽根車により排紙コンベア上に排紙される。
【００３０】
ここで、上述した印刷装置１２における印刷ユニット１６，１７について説明するが、各印刷ユニット１６，１７のローラ配列はほぼ同様であるため、多色刷印刷ユニットと１６についてのみ詳細に説明する。また、この印刷ユニット１６は、４色印刷を行うことが可能となっており、各色のローラ配列はほぼ同様であるため、その一つのローラ配列についてのみ詳細に説明する。
【００３１】
印刷ユニット１６において、図１に示すように、垂直方向に沿ったウェブＷの搬送経路に対して、左右対称にローラが配列されており、ウェブＷの搬送経路に対して、左側が表面印刷を行う表面印刷ユニット２１であり、右側が裏面印刷を行う裏面印刷ユニット４１である。
【００３２】
表面印刷ユニット２１は、インキつぼ（インキ供給装置）２２と、インキ元ローラ２３と、受渡ローラ２４と、３つの練ローラ２５，２６，２７と、３つの往復ローラ２８，２９，３０と、３つのインキ着ローラ３１，３２，３３と、版胴３５と、ブランケット胴３６とがほぼ直列に対接して回転自在に支持されて構成されている。また、表面印刷ユニット２１には、湿し水を供給する湿し水供給装置が設けられている。即ち、版胴３５には、水着ローラ３４が対接して回転自在に支持され、この水着ローラ３４には、往復ローラ３０が対接して回転自在に支持され、往復ローラ３０に近接してスプレーダンプナー８１が配設されている。このスプレーダンプナー８１は、往復ローラ３０の軸方向に沿って複数のスプレーノズルが配置されて構成され、湿し水を扇状に霧化して往復ローラ３０に付与するものである。
【００３３】
即ち、インキつぼ２２は、予め設定された所定粘性のインキを貯留するものであって、インキ元ローラ２３が隣接して設けられている。このインキ元ローラ２３は、インキつぼ２２の図示しないインキキーにより調量されたインキを練り出すものであって、表面が金属により形成され、図示しないフレームに回転自在に支持されている。そして、このインキ元ローラ２３は、図示しない駆動装置により矢印方向に駆動回転可能となっている。
【００３４】
受渡ローラ２４は、インキ元ローラ２３のインキを受け渡すものであって、表面が金属または樹脂により形成され、インキ元ローラ２３に対接するようにフレームに回転自在に支持されている。練ローラ２５は、受渡ローラ２４から受け渡されたインキを練るものであって、表面がゴムにより形成され、受渡ローラ２４に対接するようにフレームに回転自在に支持されている。往復ローラ２８は、練ローラ２５により練られたインキを幅方向に広げるものであって、表面が金属により形成され、練ローラ２５に対接するようにフレームに回転自在に支持されると共に、軸方向に往復移動可能となっている。なお、他の練ローラ２６は、隣接するローラ間で受け渡されるインキを練るものであり、練ローラ２７は、隣接するローラ間で受け渡される湿し水を練るものであって、表面がゴムにより形成され、隣接するローラに対接するようにフレームに回転自在に支持されている。また、他の往復ローラ２９は、隣接するローラ間で受け渡されるインキを幅方向に広げるもの、往復ローラ３０は、隣接するローラ間で受け渡されるインキを幅方向に広げるものであって、表面が金属により形成され、隣接するローラに対接するようにフレームに回転自在に支持されると共に、軸方向に往復移動可能となっている。
【００３５】
インキ着ローラ３１，３２，３３と、水着ローラ３４は、往復ローラ２８，２９により広げられたインキ、もしくは往復ローラ３０により広げられた湿し水を受け取って供給するものであって、表面がゴムにより形成され、往復ローラ２８，２９，３０に対接するようにフレームに回転自在に支持されている。そして、受渡ローラ２４と練ローラ２５，２６，２７と往復ローラ２８，２９，３０とインキ着ローラ３１，３２，３３と、水着ローラ３４は、図示しないギアにより同期駆動するように連結され、駆動装置により矢印方向に駆動回転可能となっている。
【００３６】
版胴３５は、表面に図示しない刷版が巻き付けられる金属ローラであり、インキ着ローラ３１，３２，３３と、水着ローラ３４のインキが刷版の画線部に受け渡されるものであって、インキ着ローラ３１，３２，３３と、水着ローラ３４に対接するようにフレームに回転自在に支持されている。ブランケット胴３６は、表面に図示しないブランケット（ゴム）が巻き付けられるゴムローラであり、版胴３５から受け渡されたインキをウェブＷに転写するものであって、版胴３５に対接するようにフレームに回転自在に支持されている。そして、版胴３５とブランケット胴３６は、図示しないギアにより同期駆動するように連結され、駆動装置により矢印方向に駆動回転可能となっている。
【００３７】
この場合、版胴３５に装着される刷版は、絵柄のある領域（画線部）と絵柄のない領域（非画線部）が形成され、画線部が親油性であり、非画線部が親水性である。そのため、版胴３５に装着された刷版に対して、インキ着ローラ３１，３２，３３からインキが供給されると共に、水着ローラ３４から湿し水が供給されると、画線部のみにインキが転写され、非画線部に湿し水が転写される。そして、版胴３５に対してブランケット胴３６が対接して同期回転すると、版胴３５から画線部にあるインキがブランケット胴３６に転写される。
【００３８】
一方、裏面印刷ユニット４１も同様の構成となっており、インキつぼ（インキ供給装置）４２と、インキ元ローラ４３と、受渡ローラ４４と、３つの練ローラ４５，４６，４７と、３つの往復ローラ４８，４９，５０と、３つのインキ着ローラ５１，５２，５３と、版胴５５と、ブランケット胴５６とがほぼ直列に対接して回転自在に支持されて構成されている。また、表面印刷ユニット４１には、湿し水を供給する湿し水供給装置が設けられている。即ち、版胴５５には、水着ローラ５４が対接して回転自在に支持され、この水着ローラ５４には、往復ローラ５０が対接して回転自在に支持され、往復ローラ５０に近接してスプレーダンプナー９１が配設されている。このスプレーダンプナー９１は、往復ローラ５０の軸方向に沿って複数のスプレーノズルが配置されて構成され、湿し水を扇状に霧化して往復ローラ５０に付与するものである。
【００３９】
即ち、インキつぼ４２は、予め設定された所定粘性のインキを貯留するものであって、インキ元ローラ４３が隣接して設けられている。このインキ元ローラ４３は、インキつぼ４２の図示しないインキキーにより調量されたインキを練り出すものであって、表面が金属により形成され、図示しないフレームに回転自在に支持されている。そして、このインキ元ローラ４３は、図示しない駆動装置により矢印方向に駆動回転可能となっている。
【００４０】
受渡ローラ４４は、インキ元ローラ４３のインキを受け渡すものであって、表面が金属または樹脂により形成され、インキ元ローラ４３に対接するようにフレームに回転自在に支持されている。練ローラ４５は、受渡ローラ４４から受け渡されたインキを練るものであって、表面がゴムにより形成され、受渡ローラ４４に対接するようにフレームに回転自在に支持されている。往復ローラ４８は、練ローラ４５により練られたインキを幅方向に広げるものであって、表面が金属により形成され、練ローラ４５に対接するようにフレームに回転自在に支持されると共に、軸方向に往復移動可能となっている。なお、他の練ローラ４６は、隣接するローラ間で受け渡されるインキを練るもの、練ローラ４７は、隣接するローラ間で受け渡される湿し水を練るものであって、表面がゴムにより形成され、隣接するローラに対接するようにフレームに回転自在に支持されている。また、他の往復ローラ４９は、隣接するローラ間で受け渡されるインキを幅方向に広げるもの、往復ローラ５０は、隣接するローラ間で受け渡されるインキを幅方向に広げるものであって、表面が金属により形成され、隣接するローラに対接するようにフレームに回転自在に支持されると共に、軸方向に往復移動可能となっている。
【００４１】
インキ着ローラ５１，５２，５３と、水着ローラ５４は、往復ローラ４８，４９により広げられたインキ、もしくは往復ローラ５０により広げられた湿し水を受け取って供給するものであって、表面がゴムにより形成され、往復ローラ４８，４９，５０に対接するようにフレームに回転自在に支持されている。そして、受渡ローラ４４と練ローラ４５，４６，４７と往復ローラ４８，４９，５０とインキ着ローラ５１，５２，５３と、水着ローラ５４は、図示しないギアにより同期駆動するように連結され、駆動装置により矢印方向に駆動回転可能となっている。
【００４２】
版胴５５は、表面に図示しない刷版が巻き付けられる金属ローラであり、インキ着ローラ５１，５２，５３と、水着ローラ５４のインキが刷版の画線部に受け渡されるものであって、インキ着ローラ５１，５２，５３と、水着ローラ５４に対接するようにフレームに回転自在に支持されている。ブランケット胴５６は、表面に図示しないブランケット（ゴム）が巻き付けられるゴムローラであり、版胴５５から受け渡されたインキをウェブＷに転写するものであって、版胴５５に対接するようにフレームに回転自在に支持されている。そして、版胴５５とブランケット胴５６は、図示しないギアにより同期駆動するように連結され、駆動装置により矢印方向に駆動回転可能となっている。
【００４３】
従って、表面印刷ユニット２１にて、インキ元ローラ２３により調量されたインキが、インキつぼ２２からこのインキ元ローラ２３を通して受渡ローラ２４に供給される。この受渡ローラ２４に供給されたインキは、練ローラ２５を通して往復ローラ２８に受け渡され、この往復ローラ２８が軸方向に往復移動することで、幅方向に広げられる。また、この往復ローラ２８で幅方向に広げられたインキは、練ローラ２６を通して往復ローラ２９に受け渡され、この往復ローラ２９が軸方向に往復移動することで、更に幅方向に広げられる。
【００４４】
そして、各往復ローラ２８，２９により幅方向に広げられたインキは、インキ着ローラ３１，３２，３３に供給され、このインキ着ローラ３１，３２，３３が回転することで、このインキ着ローラ３１，３２，３３上のインキは、版胴３５の版面に受け渡され、このとき、インキ着ローラ３１，３２，３３上のインキは、版胴３５に装着された刷版の画線部のみに転写される。一方、スプレーダンプナー８１は、扇状に霧化した湿し水を往復ローラ３０に付与し、水着ローラ３４を通して版胴３５に装着された刷版の非画線部のみに転写される。そして、この版胴３５が回転することで、刷版の画線部にあるインキがブランケット胴３６に受け渡される。
【００４５】
一方、裏面印刷ユニット４１にて、インキ元ローラ４３により調量されたインキが、インキつぼ４２からこのインキ元ローラ４３を通して受渡ローラ４４に供給される。この受渡ローラ４４に供給されたインキは、練ローラ４５を通して往復ローラ４８に受け渡され、この往復ローラ４８が軸方向に往復移動することで、幅方向に広げられる。また、この往復ローラ４８で幅方向に広げられたインキは、練ローラ４６を通して往復ローラ４９に受け渡され、この往復ローラ４９が軸方向に往復移動することで、更に幅方向に広げられる。
【００４６】
そして、各往復ローラ４８，４９により幅方向に広げられたインキは、インキ着ローラ５１，５２，５３に供給され、このインキ着ローラ５１，５２，５３が回転することで、このインキ着ローラ５１，５２，５３上のインキは、版胴５５の版面に受け渡され、このとき、インキ着ローラ５１，５２，５３上のインキは、版胴５５に装着された刷版の画線部のみに転写される。一方、スプレーダンプナー９１は、扇状に霧化した湿し水を往復ローラ５０に付与し、水着ローラ５４を通して版胴５５に装着された刷版の非画線部のみに転写される。そして、この版胴５５が回転することで、刷版の画線部にあるインキがブランケット胴５６に受け渡される。
【００４７】
その後、各ブランケット胴３６，５６の間にウェブＷが通過するときに、その印圧により各ブランケット胴３６，５６に転写されたインキ（絵柄）がウェブＷの表裏に転写される。即ち、ウェブＷの表面に対して、ブランケット胴３６のインキが転写され、ウェブＷの裏面に対して、ブランケット胴５６のインキが転写されることで、ウェブＷへの両面印刷が行われる。
【００４８】
その後、各ブランケット胴３６，５６の間にウェブＷが通過するときに、その印圧により各ブランケット胴３６，５６に転写されたインキ（絵柄）がウェブＷの表裏に転写される。即ち、ウェブＷの表面に対して、ブランケット胴３６のインキが転写され、ウェブＷの裏面に対して、ブランケット胴５６のインキが転写されることで、ウェブＷへの両面印刷が行われる。
【００４９】
このように構成された印刷ユニット１６にて、本実施例では、表面印刷ユニット２１にて、練ローラ２５，２６，２７とインキ着ローラ３１，３２，３３と水着ローラ３４と、隣接する各ローラとの対接状態を変更可能なローラ移動手段として、ニップ圧自動調整装置３７，３８，８２が設けられている。また、裏面印刷ユニット４１にて、練ローラ４５，４６，４７及びインキ着ローラ５１，５２，５３と水着ローラ５４と、隣接する各ローラとの対接状態を変更可能なローラ移動手段として、ニップ圧自動調整装置５７，５８，９２が設けられている。そして、印刷終了時にニップ圧自動調整装置３７，３８，５７，５８，８２，９２により練ローラ２５，２６，２７，４５，４６，４７とインキ着ローラ３１，３２，３３，５１，５２，５３と水着ローラ３４，５４を移動し、隣接する各ローラから離脱させる制御装置６１を設けている。
【００５０】
即ち、ニップ圧自動調整装置３７，３８，５７，５８，８２，９２は、練ローラ２５，２６，２７，４５，４６，４７及びインキ着ローラ３１，３２，３３，５１，５２，５３及び水着ローラ３４，５４と対接する各ローラとのニップ圧を自動調整するものである。
【００５１】
この場合、図１では、表面印刷ユニット２１にて、３つの練ローラ２５，２６，２７に対して一つのニップ圧自動調整装置３７、３つのインキ着ローラ３１，３２，３３に対して一つのニップ圧自動調整装置３８、水着ローラ３４に対して一つのニップ圧自動調整装置８２だけ図示しているが、全ての練ローラ２５，２６，２７、インキ着ローラ３１，３２，３３と、水着ローラ３４に対して個別のニップ圧自動調整装置が設けられている。また、同様に、裏面印刷ユニット４１にて、３つの練ローラ４５，４６，４７に対して一つのニップ圧自動調整装置５７、３つのインキ着ローラ５１，５２，５３に対して一つのニップ圧自動調整装置５８、水着ローラ３４に対して一つのニップ圧自動調整装置９２だけ図示しているが、全ての練ローラ４５，４６，４７、インキ着ローラ５１，５２，５３と、水着ローラ５４に対して個別のニップ圧自動調整装置が設けられている。更に、制御装置６１は、全てのニップ圧自動調整装置３７，３８，５７，５８，８２，８３を駆動制御可能となっている。
【００５２】
ここで、ニップ圧自動調整装置３７，３８，５７，５８，８２，９２について説明するが、各ニップ圧自動調整装置３７，３８，５７，５８，８２，９２はほぼ同様の構成をなしているため、ニップ圧自動調整装置３７についてのみ説明する。また、このニップ圧自動調整装置３７は、練ローラ２６における軸方向の両側の軸端部に設けられており、両者は同様の構成をなしているため、一方についてのみ説明する。
【００５３】
ニップ圧自動調整装置３７において、図２及び図３に示すように、フレーム７１には、円筒形状をなすケース７２が固定され、このケース７２は、外筒７２ａと内筒７２ｂを有している。支持体７３は、ケース７２と同様に、円筒形状をなし、ケース７２の外筒７２ａと内筒７２ｂとの間に遊嵌されている。そして、この支持体７３に練ローラ２６の端部が連結されている。
【００５４】
ケース７２は、その内筒７２ｂの外周面にリング形状をなす摩擦プレート７４が固定される一方、支持体７３は、その内周面にリング形状をなす摩擦プレート７５が固定されており、各摩擦プレート７４，７５は交互に配列されている。また、ケース７２は、内筒７２ｂの内側に駆動ロッド７６が軸方向に移動自在に支持されており、一端部に各摩擦プレート７４，７５を押圧して接触可能な押圧部７６ａが形成されている。また、駆動ロッド７６は、他端部に支持プレート７６ｂが形成されており、ケース７２の内筒７２ｂと支持プレート７６ｂとの間に圧縮バネ７７が介装されている。
【００５５】
また、フレーム７１とケース７２との間には、駆動ロッド７６の支持プレート７６ｂを押圧するための圧力室７８が形成されると共に、フレーム７１にこの圧力室７８に連通するエア供給孔７１ａが形成されており、このエア供給孔７１ａには、図示しないエア供給装置が連結されている。
【００５６】
更に、ケース７２の外筒７２ａと支持体７３との間の空間部には、周方向に４分割されたチューブ７９が介装されており、各チューブ７９に対して個別にエアを給排することができる。
【００５７】
従って、圧力室７８にエアを供給しない状態では、駆動ロッド７６は、圧縮バネ７７の付勢力により、図２にて左方に付勢支持されており、押圧部７６ａが各摩擦プレート７４，７５を押圧して接触することで、その摩擦力によりケース７２に対して支持体７３、つまり、練ローラ２６をこの位置に固定することができる。一方、エア供給孔７１ａから圧力室７８にエアを供給すると、駆動ロッド７６は、支持プレート７６ｂが圧力を受け、圧縮バネ７７の付勢力に抗して図２にて右方に移動する。すると、押圧部７６ａが各摩擦プレート７４，７５の押圧を解除して離間することで、ケース７２に対して支持体７３、つまり、練ローラ２６が自由状態となる。ここで、４つのチューブ７９内のいずれかにエアを給排することで、各チューブ７９が膨張及び収縮して支持体７３、つまり、練ローラ２６を移動し、隣接するローラとのニップ圧を調整することができる。
【００５８】
そして、本実施例の印刷ユニット１６では、インキ元ローラ２３，４３、受渡ローラ２４，４４、練ローラ２５，２６，２７，４５，４６，４７、往復ローラ２８，２９，３０，４８，４９，５０、インキ着ローラ３１，３２，３３，５１，５２，５３、水着ローラ３４，５４、版胴３５，５５、ブランケット胴３６，５６がほぼ直列に対接して回転自在に支持されており、練ローラ２５，２６，２７，４５，４６，４７とインキ着ローラ３１，３２，３３，５１，５２，５３と水着ローラ３４，５４がゴムローラとして構成される一方、受渡ローラ２４，４４と往復ローラ２８，２９，３０，４８，４９，５０と版胴３６，５６が金属ローラとして構成されている。
【００５９】
即ち、インキをその供給源としてのインキつぼ２２，４２から版胴３５，５５を介してブランケット胴３６，５６まで供給するインキ供給経路上に、ゴムローラと金属ローラが対接状態で回転自在に支持されている。また、湿し水をその供給源としてのスプレーダンプナー８１，９１から版胴３５，５５を介してブランケット胴３６，５６まで供給する湿し水供給経路上に、ゴムローラと金属ローラが対接状態で回転自在に支持されている。この構成にて、制御装置６１は、非印刷時に、ニップ圧自動調整装置３７，３８，５７，５８，８２，９２により、ゴムローラと金属ローラとを離間させるようにしている。具体的には、制御装置６１は、印刷が終了した後、また、使用しない印刷ユニットに対して、ニップ圧自動調整装置３７，３８，５７，５８，８２，９２により練ローラ２５，２６，２７，４５，４６，４７及びインキ着ローラ３１，３２，３３，５１，５２，５３、水着ローラ３４，５４を隣接するローラから離脱させる。
【００６０】
ここで、制御装置６１によるニップ圧自動調整装置３７，３８，５７，５８，８２，９２を用いた練ローラ２５，２６，２７，４５，４６，４７及びインキ着ローラ３１，３２，３３，５１，５２，５３、水着ローラ３４，５４の離脱制御について具体的に説明する。なお、ここでは、前述と同様に、ニップ圧自動調整装置３７により練ローラ２６を往復ローラ２９から離脱させる場合について説明する。
【００６１】
図４に示すように、制御装置６１は、事前に、ニップ圧自動調整装置３７により練ローラ２６を隣接する往復ローラ２９に所定圧で対接させることで、練ローラ２６と往復ローラ２９との間のニップ圧を最適値に調整されている。そのため、印刷ユニット１６による印刷作業が実行させているとき、練ローラ２６に供給されたインキは、適正量が練ローラ２６から往復ローラ２９に受け渡される。そして、印刷ユニット１６による印刷作業が終了すると、練ローラ２６及び往復ローラ２９の回転が停止するため、練ローラ２６の外周部の一部が往復ローラ２９により押圧されることで、凹部２６ａが形成されてしまう。
【００６２】
そこで、本実施例にて、制御装置６１は、図５に示すように、印刷ユニット１６による印刷作業が終了すると、印刷速度が減速されるため、ここで、ニップ圧自動調整装置３７により練ローラ２６を隣接する往復ローラ２９から離脱させ、練ローラ２６と往復ローラ２６との間に所定の隙間Ｓを確保する。
【００６３】
即ち、図１に示すように、表面印刷ユニット２１にて、ニップ圧自動調整装置３７により、練ローラ２５を受渡ローラ２４及び往復ローラ２８から離間させ、練ローラ２６を往復ローラ２８，２９から離間させ、練ローラ２７を往復ローラ３０から離間させる。また、ニップ圧自動調整装置３８により、インキ着ローラ３１を往復ローラ２８及び版胴３５から離間させ、インキ着ローラ３２を往復ローラ２９及び版胴３５から離間させ、インキ着ローラ３３を往復ローラ２９及び版胴３５から離間させる。更に、ニップ圧自動調整装置８２により、水着ローラ３４を往復ローラ３０及び版胴３５から離間させる。
【００６４】
また、裏面印刷ユニット４１にて、ニップ圧自動調整装置５７により、練ローラ４５を受渡ローラ４４及び往復ローラ４８から離間させ、練ローラ４６を往復ローラ４８，４９から離間させ、練ローラ４７を往復ローラ５０から離間させる。また、ニップ圧自動調整装置５８により、インキ着ローラ５１を往復ローラ４８及び版胴５５から離間させ、インキ着ローラ５２を往復ローラ４９及び版胴５５から離間させ、インキ着ローラ５３を往復ローラ４９及び版胴５５から離間させる。更に、ニップ圧自動調整装置９２により、水着ローラ５４を往復ローラ５０及び版胴５５から離間させる。
【００６５】
従って、各印刷ユニット２１，４１にて、練ローラ２５，２６，２７，４５，４６，４７及びインキ着ローラ３１，３２，３３，５１，５２，５３、水着ローラ３４，５４は、その回転がていししたとき、隣接する各ローラから離脱している。そのため、ゴムローラとしての練ローラ２５，２６，２７，４５，４６，４７及びインキ着ローラ３１，３２，３３，５１，５２，５３、水着ローラ３４，５４は、その外周面が金属ローラからの押圧力を受けて局所的に凹むことはなく、その劣化が抑制される。
【００６６】
このように本実施例の新聞用オフセット輪転印刷機及びその制御方法にあっては、インキをその供給源としてのインキつぼ２２，４２から版胴３５，５５まで供給するインキ供給経路上や湿し水をその供給源としてのスプレーダンプナー８１，９１から版胴３５，５５まで供給する湿し水供給経路に、ゴムローラと金属ローラを対接状態で回転自在に支持し、このゴムローラと金属ローラとの対接状態を変更可能なニップ圧自動調整装置３７，３８，５７，５８，８２，９２と、非印刷時にニップ圧自動調整装置３７，３８，５７，５８，８２，９２によりゴムローラと金属ローラとを離間させる制御装置６１を設けている。
【００６７】
従って、印刷が行われていないとき、ゴムローラと金属ローラは離間しており、ゴムローラの局部的な変形がなくなり、このゴムローラの変形を抑制して耐久性を向上することで長寿命化を可能とすることができる。
【００６８】
この場合、本実施例では、インキ元ローラ２３，４３、受渡ローラ２４，４４、練ローラ２５，２６，２７，４５，４６，４７、往復ローラ２８，２９，３０，４８，４９，５０、インキ着ローラ３１，３２，３３，５１，５２，５３、水着ローラ３４，５４、版胴３５，５５、ブランケット胴３６，５６がほぼ直列に対接して回転自在に支持されており、練ローラ２５，２６，２７，４５，４６，４７とインキ着ローラ３１，３２，３３，５１，５２，５３と水着ローラ３４，５４をゴムローラとして構成する一方、受渡ローラ２４，４４と往復ローラ２８，２９，３０，４８，４９，５０と版胴３６，５６を金属ローラとして構成している。そして、制御装置６１は、非印刷時に、ニップ圧自動調整装置３７，３８，５７，５８，８２，９２により練ローラ２５，２６，２７，４５，４６，４７とインキ着ローラ３１，３２，３３，５１，５２，５３と水着ローラ３４，５４を隣接するローラから離脱させている。
【００６９】
従って、印刷が行われていないとき、練ローラ２５，２６，２７，４５，４６，４７とインキ着ローラ３１，３２，３３，５１，５２，５３と水着ローラ３４，５４は、他のローラと離間しており、この練ローラ２５，２６，２７，４５，４６，４７、インキ着ローラ３１，３２，３３，５１，５２，５３、水着ローラ３４，５４の局部的な変形を防止することができる。
【００７０】
また、本実施例の新聞用オフセット輪転印刷機では、制御装置６１は、印刷終了後に、ニップ圧自動調整装置３７，３８，５７，５８，８２，９２により練ローラ２５，２６，２７，４５，４６，４７、インキ着ローラ３１，３２，３３，５１，５２，５３、水着ローラ３４，５４を隣接するローラから離脱させている。従って、印刷終了後にローラ間の対接を解除することで、ゴムローラと金属ローラとを最適なタイミングで離間させることができる。
【００７１】
また、本実施例の新聞用オフセット輪転印刷機では、制御装置６１は、印刷ユニットの不使用時に、ニップ圧自動調整装置３７，３８，５７，５８，８２，９２により練ローラ２５，２６，２７，４５，４６，４７とインキ着ローラ３１，３２，３３，５１，５２，５３と水着ローラ３４，５４を隣接するローラから離脱させている。即ち、印刷ユニットが４色刷り可能な印刷ユニットであるとき、１色刷り行う場合、残りの３色刷り用の印刷ユニットは不使用状態となる。従って、このとき、不使用状態となる印刷ユニットにて、ゴムローラと金属ローラとを離間させることで、印刷に必要とないゴムローラの早期劣化を抑制することができる。
【００７２】
また、本実施例の新聞用オフセット輪転印刷機では、ローラ移動手段として、対接するローラ間のニップ圧を自動調整するニップ圧自動調整装置３７，３８，５７，５８，８２，９２を適用している。従って、ニップ圧自動調整装置３７，３８，５７，５８，８２，９２を用いてローラの離脱を行うこととなり、別途ローラ移動手段を設ける必要がなく、装置の大型化や高コスト化を抑制することができる。
【００７３】
また、本実施例の新聞用オフセット輪転印刷機では、非印刷時に、ゴムローラを移動することで金属ローラから離間させるようにしており、ゴムローラのみを移動させることで、金属ローラの支持構造を簡素化することができる。なお、金属ローラを移動可能としてもよい。
【００７４】
なお、インキの供給方法として、インキ元ローラと受渡ローラとの間に所定のギャップを設けることで、インキ元ローラのインキを受渡ローラのくぼみに受け渡して供給するギャップ転移方式（連続インキ供給式）と、インキ元ローラと往復ローラとの間に往復移動する呼出ローラを設けることで、インキ元ローラのインキを呼出ローラを介して往復ローラに受け渡して供給する呼出転移方式（間欠インキ供給式）とがある。本実施例では、ギャップ転移方式（連続インキ供給式）としたが、呼出転移方式（間欠インキ供給式）としてもよい。即ち、上述した実施例では、インキ供給装置をインキつぼ２２，４２及びインキ元ローラ２３，４３により構成したが、この構成に限定されるものではなく、受渡ローラ２４，４４に代えて、インキ元ローラ２３，４３と練ローラ２５，４５との間で往復移動する呼出ローラとしてもよい。更に、噴射式のインキ供給ポンプとしてもよい。
【００７５】
また、上述した実施例では、ニップ圧自動調整装置３７，３８，５７，５８，８２，９２を、複数のチューブ７９に対してエアを給排することで構成し、固定装置を複数の摩擦プレート７４，７５により構成したが、この構成に限定されるものではない。
【００７６】
また、上述した実施例では、本発明の印刷機及びその制御方法を新聞オフセット輪転印刷機に適用して説明したが、商業用印刷機など他の印刷機に適用することもできる。また、枚葉印刷機でもよく、両面印刷機としたが、片面印刷機としてもよい。
【００７７】
また、上述した実施例では、スプレーダンプナー８１，８２及び往復ローラ３０，５０及び練ローラ２７，４７及び水着ローラ３４，５４から構成される湿し装置を有する印刷ユニット１６を適用して説明したが、この構成に限定されるものではなく、例えば、水無し印刷のように湿し装置を持たない印刷ユニットに適用してもよい。更に、新聞用オフセット輪転印刷機を例に説明したが、ゴムローラと金属ローラが対接状態で回転自在に支持される構成の印刷機であればよく、例えばシート状の用紙を印刷する枚葉機であってもよい。
【産業上の利用可能性】
【００７８】
本発明に係る印刷機及びその制御方法は、非印刷時にゴムローラと金属ローラとを離間させることで、ゴムローラの変形を抑制して耐久性を向上することで長寿命化を可能とするものであり、いずれの印刷機にも適用することができる。
【図面の簡単な説明】
【００７９】
【図１】本発明の一実施例に係る新聞用オフセット輪転印刷機における印刷ユニットの概略構成図である。
【図２】ニップ圧自動調整装置の断面図である。
【図３】図２のIII−III断面図である。
【図４】印刷時における練ローラと往復ローラとの対接状態を表す概略図である。
【図５】非印刷時における練ローラと往復ローラとの離間状態を表す概略図である。
【図６】本実施例の新聞用オフセット輪転印刷機を表す概略図である。
【符号の説明】
【００８０】
１１  給紙装置
１２  印刷装置
１３  ターンバー装置
１４  折機
２１  表面印刷ユニット
２２，４２  インキつぼ（インキ供給装置）
２３，４３  インキ元ローラ
２４，４４  受渡ローラ（金属ローラ）
２５，２６，２７，４５，４６，４７  練ローラ（ゴムローラ）
２８，２９，３０，４８，４９，５０  往復ローラ（金属ローラ）
３１，３２，３３，５１，５２，５３  インキ着ローラ（ゴムローラ）
３４，５４  水着ローラ（ゴムローラ）
３５，５５  版胴（金属ローラ）
３６，５６  ブランケット胴
３７，３８，５７，５８，８２，９２  ニップ圧自動調整装置（ローラ移動手段）
４１  裏面印刷ユニット
６１  制御装置（制御手段）
８１，８２  スプレーダンプナー
Ｗ  ウェブ
【図１】
2009233981.tif 000003
【図２】
2009233981.tif 000004
【図３】
2009233981.tif 000005
【図４】
2009233981.tif 000006
【図５】
2009233981.tif 000007
【図６】
2009233981.tif 000008